【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
それぞれが触感の一要素を表したｎ個（ｎ≧２）の触質パラメータにより特定される固有の触覚効果を持った触質コンテンツを、上記ｎ個の触質パラメータの組み合わせに対応付けて記憶する触質コンテンツ記憶部と、
上記ｎ個の触質パラメータの組み合わせを複数組順に指定して、当該指定した複数組の組み合わせに対応する複数の触質コンテンツを上記触質コンテンツ記憶部から順に抽出する触質コンテンツ抽出部とを備えたことを特徴とする触覚コンテンツ生成装置。
【請求項２】
上記触質コンテンツ抽出部により順に抽出された上記複数の触質コンテンツが、２つ以上の異なる触質コンテンツの組み合わせから成るパターンの繰り返しを有するか否かを判定し、繰り返しを構成している触質コンテンツ群を抽出し、これを触覚コンテンツとして生成する触覚コンテンツ生成部を更に備えたことを特徴とする請求項１に記載の触覚コンテンツ生成装置。
【請求項３】
触質変換対象の情報を入力する対象情報入力部と、
上記対象情報入力部により入力された対象情報を複数に分割し、それぞれの分割区間から、情報の強度に関する触質パラメータおよび分割区間の長さに関する触質パラメータの少なくとも一方について、上記ｎ個の触質パラメータを特定する触質パラメータ特定部とを更に備え、
上記触質コンテンツ抽出部は、上記触質パラメータ特定部により上記それぞれの分割区間から特定された上記ｎ個の触質パラメータの組み合わせを順に指定して、当該指定した複数組の組み合わせに対応する複数の触質コンテンツを上記触質コンテンツ記憶部から順に抽出することを特徴とする請求項１または２に記載の触覚コンテンツ生成装置。
【請求項４】
触質変換対象の情報を入力する対象情報入力部と、
上記対象情報入力部により入力された１種の対象情報を複数に分割し、それぞれの分割区間から、情報の強度に関する触質パラメータおよび分割区間の長さに関する触質パラメータを特定することにより、２個の触質パラメータの組み合わせを複数組特定する触質パラメータ特定部とを更に備え、
上記触質コンテンツ抽出部は、上記触質パラメータ特定部により上記それぞれの分割区間から特定された上記２個の触質パラメータの組み合わせを順に指定して、当該指定した複数組の組み合わせに対応する複数の触質コンテンツを上記触質コンテンツ記憶部から順に抽出することを特徴とする請求項１または２に記載の触覚コンテンツ生成装置。
【請求項５】
触質変換対象の情報を入力する対象情報入力部と、
上記対象情報入力部により入力された複数種の対象情報をそれぞれ複数に分割し、上記複数種の対象情報のそれぞれの分割区間から、情報の強度に関する触質パラメータおよび分割区間の長さに関する触質パラメータの少なくとも一方を特定することにより、上記ｎ個の触質パラメータの組み合わせを複数組特定する触質パラメータ特定部とを更に備え、
上記触質コンテンツ抽出部は、上記触質パラメータ特定部により上記それぞれの分割区間から特定された上記ｎ個の触質パラメータの組み合わせを順に指定して、当該指定した複数組の組み合わせに対応する複数の触質コンテンツを上記触質コンテンツ記憶部から順に抽出することを特徴とする請求項１または２に記載の触覚コンテンツ生成装置。
【請求項６】
強度に相当する値が連続的または断続的に連なって成る対象情報を入力する対象情報入力部と、
上記対象情報入力部により入力された上記対象情報を複数に分割し、それぞれの分割区間から、分割区間内の代表強度を第１の触質パラメータとして特定するとともに、上記分割区間の長さを第２の触質パラメータとして特定する触質パラメータ特定部とを備え、
上記触質コンテンツ抽出部は、上記触質パラメータ特定部により上記それぞれの分割区間から特定された上記第１の触質パラメータおよび上記第２の触質パラメータの組み合わせを順に指定して、当該指定した複数組の組み合わせに対応する複数の触質コンテンツを上記触質コンテンツ記憶部から順に抽出することを特徴とする請求項１または２に記載の触覚コンテンツ生成装置。
【請求項７】
上記触質コンテンツは、振動情報であることを特徴とする請求項１〜６の何れか１項に記載の触覚コンテンツ生成装置。
【請求項８】
上記触質コンテンツは、アクチュエータの駆動情報であることを特徴とする請求項１〜６の何れか１項に記載の触覚コンテンツ生成装置。
【請求項９】
上記触質コンテンツは、材質情報であることを特徴とする触請求項１〜６の何れか１項に記載の触覚コンテンツ生成装置。
【請求項１０】
それぞれが触感の一要素を表したｎ個（ｎ≧２）の触質パラメータにより特定される固有の触覚効果を持った触質コンテンツを、上記ｎ個の触質パラメータの組み合わせに対応付けて記憶する触質コンテンツ記憶部を備えたコンピュータにおいて、触覚コンテンツを生成するための方法であって、
上記コンピュータの触質コンテンツ抽出部が、上記ｎ個の触質パラメータの組み合わせを複数組順に指定して、当該指定した複数組の組み合わせに対応する複数の触質コンテンツを上記触質コンテンツ記憶部から順に抽出するステップを有することを特徴とする触覚コンテンツ生成方法。
【請求項１１】
上記コンピュータの触覚コンテンツ生成部が、上記触質コンテンツ抽出部により順に抽出された上記複数の触質コンテンツが、２つ以上の異なる触質コンテンツの組み合わせから成るパターンの繰り返しを有するか否かを判定し、繰り返しを構成している触質コンテンツ群を抽出し、これを触覚コンテンツとして生成するステップを更に有することを特徴とする請求項１０に記載の触覚コンテンツ生成方法。
【請求項１２】
振動を媒体として所与の機能を発揮する機器であって、
請求項７に記載の触覚コンテンツ生成装置を備え、
上記触質コンテンツ記憶部から抽出した上記触質コンテンツをもとに生成した振動情報を上記振動の駆動源として利用することを特徴とする触覚コンテンツ利用機器。
【請求項１３】
振動を媒体として所与の機能を発揮する機器であって、
請求項８に記載の触覚コンテンツ生成装置を備え、
上記触質コンテンツ記憶部から抽出した上記触質コンテンツをもとに生成した駆動情報を上記アクチュエータの駆動源として利用することを特徴とする触覚コンテンツ利用機器。
【請求項１４】
振動を媒体として所与の機能を発揮する機器であって、
請求項２に記載の触覚コンテンツ生成装置により生成された上記触覚コンテンツを記憶したリムーバル記憶媒体または外部機器と接続され、
上記リムーバル記憶媒体または上記外部機器より取得される上記触覚コンテンツを上記振動の駆動源として利用することを特徴とする触覚コンテンツ利用機器。
【手続補正２】
【補正対象書類名】明細書
【補正対象項目名】発明の名称
【補正方法】変更
【補正の内容】
【発明の名称】触覚コンテンツ生成装置、触覚コンテンツ生成方法および触覚コンテンツ利用機器
【手続補正３】
【補正対象書類名】明細書
【補正対象項目名】０００１
【補正方法】変更
【補正の内容】
【０００１】
本発明は、触覚コンテンツ生成装置、触覚コンテンツ生成方法および触覚コンテンツ利用機器に関し、特に、所与の触覚効果を与える触覚コンテンツを生成する装置および方法、並びに当該触覚コンテンツを利用した機器に関するものである。
【手続補正４】
【補正対象書類名】明細書
【補正対象項目名】００１２
【補正方法】変更
【補正の内容】
【００１２】
上記した課題を解決するために、本発明では、それぞれが触感の一要素を表したｎ個（ｎ≧２）の触質パラメータにより特定される固有の触覚効果を持った触質コンテンツを、ｎ個の触質パラメータの組み合わせに対応付けて記憶する触質コンテンツ記憶部を備えている。そして、ｎ個の触質パラメータの組み合わせを複数組順に指定することにより、当該指定した複数組の組み合わせに対応する複数の触質コンテンツを触質コンテンツ記憶部から順に抽出するようにしている。
【手続補正５】
【補正対象書類名】明細書
【補正対象項目名】００１３
【補正方法】変更
【補正の内容】
【００１３】
上記のように構成した本発明によれば、ｎ個の触質パラメータの組み合わせを複数組指定することにより、複数の触質コンテンツが抽出される。ここで、それぞれの触質コンテンツは、それぞれに固有の触覚効果を付与することが可能なものであるから、順に抽出される複数の触質コンテンツの差異の連なりにより、その連なりに固有の意味を持った触覚効果を有するものといえる。このように、本発明によれば、受け手にとって意味のあるメッセージを触覚効果によって伝えることが可能な触覚コンテンツを生成することができる。